(57)【要約】【課題】  端末を小型化するために、入力ボタンやドームスイッチを小型化すると、押し位置ずれの許容度が小さくなるため、クリック率が低下するという課題があった。クリック率の低下や操作感触劣化を防止するには、小型のドームスイッチを用いることは好ましくない。【解決手段】  上記のような課題を解決すべく、本発明にかかる電子機器は、ケースに固定されて筐体を構成するカバー１において、筐体長手方向およびこの筐体長手方向と交差する筐体幅方向に配設される複数のキーボタン２と、キーボタン２を用いて入力が加えられたことを検知して、キーボタンに対応する電気信号を生成するキーボタン入力検出部５と、複数のキーボタン入力検出部５のうち、筐体長手方向に沿って隣り合うキーボタン２−１、２−２に割り当てられた第一および第二のキーボタン入力検出部５−１、５−２が、キーボタン中心線９に対して互いに点対称な位置に配設された基板４を設けた。【選択図】  図２
2006147275.tif 000002
【特許請求の範囲】
【請求項１】
ケースに固定されて筐体を構成するカバーにおいて、第一の方向およびこの第一の方向と交差する第二の方向に配設される複数のキーボタンと、
前記キーボタンを用いて入力が加えられたことを検知して、前記キーボタンに対応する電気信号を生成する、複数の前記キーボタンそれぞれに割り当てられたキーボタン入力検出部と、
複数の前記キーボタン入力検出部のうち、第一の方向に沿って隣り合う前記キーボタンに割り当てられた第一および第二のキーボタン入力検出部が、第一の方向に配設された前記キーボタンそれぞれの第二の方向における中心位置を通って第一の方向に延びるキーボタン中心線に対して、互いに点対称な位置に配設された基板とを設けたことを特徴とする電子機器。
【請求項２】
ケースに固定されて筐体を構成するカバーにおいて、第一の方向およびこの第一の方向と交差する第二の方向に配設される複数のキーボタンと、
前記キーボタンを用いて入力が加えられたことを検知して、前記キーボタンに対応する電気信号を生成する、複数の前記キーボタンそれぞれに割り当てられたキーボタン入力検出部と、
複数の前記キーボタン入力検出部のうち、第一の方向に沿って隣り合う前記キーボタンに割り当てられた第一および第二のキーボタン入力検出部が、前記第一および第二のキーボタン入力検出部の略中心位置を結ぶ中心線が第一の方向に沿って延びる任意の直線と所定角度で交わるように配設された基板とを設けたことを特徴とする電子機器。
【請求項３】
基板は、中心線と第一の方向に沿って延びる任意の直線の角度が０度を含まない６０度以下の任意の角度で交差するように、第一および第二のキーボタン入力検出部が配設されることを特徴とする請求項２に記載の電子機器。
【請求項４】
基板は、第一及び第二のキーボタン入力検出部のほか、第一の方向に沿って第二のキーボタン入力検出部と隣り合う第三のキーボタン入力検出部と、この第三のキーボタン入力検出部と第一の方向に沿って隣り合う第四のキーボタン入力検出部がさらに配設されており、前記第一、第二、第三および第四のキーボタン入力検出部の略中心位置を結ぶ線が略Ｚ字形になることを特徴とする請求項１〜請求項３のいずれか一項に記載の電子機器。
【請求項５】
ケースに固定されて筐体を構成するカバーにおいて、第一の方向およびこの第一の方向と交差する第二の方向に配設される複数のキーボタンと、
前記キーボタンを用いて入力が加えられたことを検知して、前記キーボタンに対応する電気信号を生成する、複数の前記キーボタンそれぞれに割り当てられたキーボタン入力検出部と、
複数の前記キーボタン入力検出部のうち、第一の方向に沿って隣り合う前記キーボタンに割り当てられた第一、第二および第三のキーボタン入力検出部が、前記第一のキーボタン入力検出部と前記第三のキーボタン入力検出部の略中心位置を結ぶ直線に対して、前記第二のキーボタン入力検出部が所定角度ずれた位置に配設された基板とを設けたことを特徴とする電子機器。
【請求項６】
基板は、第一のキーボタン入力検出部と第三のキーボタン入力検出部の略中心位置を結ぶ直線に対して、第二のキーボタン入力検出部が０度を含まない６０度以内の任意の角度だけずれた位置に配設されることを特徴とする請求項５に記載の電子機器。
【発明の詳細な説明】
【技術分野】
【０００１】
本発明は、入力ボタンを含む操作部を備えた電子機器に関するものであり、特に小型化が求められる携帯電話機や携帯情報端末の操作部が筐体表面に占める面積を縮小することによって、端末本体の小型化を図るものである。
【背景技術】
【０００２】
入力ボタンを含む操作部を備えた電子機器のひとつである携帯電話機は、表示装置が設けられた上筐体と、入力ボタンを含む操作部が設けられた下筐体がヒンジによって折り畳み可能に連結された２つ折れ型携帯電話機、上筐体と下筐体がスライド機構によってスライド可能に連結されたスライド型携帯電話機、表示装置および操作部がひとつの筐体に設けられたバータイプ携帯電話機などがある。携帯電話機が普及するのに伴い、携帯電話機をいかに小型化するかが商品力向上の重要な要素になりつつある。
【０００３】
携帯電話機を小型化するひとつの方法として、入力ボタンを小型化して操作部の占める面積を縮小することは有効である。特許文献１に開示された携帯電話機は、突起部が形成された入力ボタンと、基板上に配置された電極Ａおよび電極Ｂと、ドームスイッチより構成されたボタン入力部の一般的な構成を開示している。このようなボタン入力部は、入力ボタンが押下されると、入力ボタンの突起部がドームスイッチを押し潰して第１の電極と第２の電極を電気的に接続している。さらに、特許文献１には、上記のようなキーボタン構造に加えて、入力ボタンの中心線とドームスイッチの作動中心線が一致しない状態で、入力ボタンの押下圧を均等にドームスイッチに加えるための構成が開示されている。
【０００４】
【特許文献１】特開２００２―３４３１８０号公報（図４、図８参照）
【発明の開示】
【発明が解決しようとする課題】
【０００５】
ところで、キーボタンを含む操作部を小型化する場合、キーボタンを小型化したのに伴いドームスイッチも小型化する必要がある。しかし、ドームスイッチを小型化すると、キーボタンを押したときの感触（クリック感）を得にくいという問題があり、操作性に違和感が生じる原因となる。良好なクリック感を得るためには、ドームスイッチは大きい方が好ましく、単純に小型化することはできない。
【０００６】
また、操作部を構成する複数の入力ボタンそれぞれに対応して、基板に複数配設されるドームスイッチは、隣り合うドームスイッチ間の間隔を製造上の理由により所定距離だけ離隔させる必要がある。基板上の全てのドームスイッチを、その中心位置が筐体の長手方向および幅方向に延在する直線上に位置する「格子状」に配設すると、各ドームスイッチおよびキーボタンを含む操作部の占める面積は大きくなる。
【０００７】
本発明は、上記のような課題を解決するために提案されたものであり、ドームスイッチを単に小型化するのではなく、ドームスイッチの配列を改善することにより、ドームスイッチおよびキーボタンを含む操作部の占める面積を減少させて筐体を小型化するとともに、操作性の良好な携帯電話機を提供することを目的とする。
【課題を解決するための手段】
【０００８】
本発明に係る電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数のキーボタンそれぞれに割り当てられたキーボタン入力検出部と、複数のキーボタン入力検出部のうち、第一の方向に沿って隣り合うキーボタンに割り当てられた第一および第二のキーボタン入力検出部が、第一の方向に配設されたキーボタンそれぞれの第二の方向における中心位置を通って第一の方向に延びるキーボタン中心線に対して、互いに点対称な位置に配設された基板とを設けたものである。
【０００９】
本発明に係る電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数のキーボタンそれぞれに割り当てられたキーボタン入力検出部と、複数のキーボタン入力検出部のうち、第一の方向に沿って隣り合うキーボタンに割り当てられた第一および第二のキーボタン入力検出部が、第一および第二のキーボタン入力検出部の略中心位置を結ぶ中心線が第一の方向に沿って延びる任意の直線と所定角度で交わるように配設された基板とを設けたものである。
【００１０】
本発明にかかる電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数の前記キーボタンそれぞれに割り当てられたキーボタン入力検出部と、複数のキーボタン入力検出部のうち、第一の方向に沿って隣り合うキーボタンに割り当てられた第一、第二および第三のキーボタン入力検出部が、第一のキーボタン入力検出部と第三のキーボタン入力検出部の略中心位置を結ぶ直線に対して、第二のキーボタン入力検出部が所定角度ずれた位置に配設された基板とを設けたものである。
【発明の効果】
【００１１】
本発明に係る電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数のキーボタンそれぞれに割り当てられたキーボタン入力検出部と、複数のキーボタン入力検出部のうち、第一の方向に沿って隣り合うキーボタンに割り当てられた第一および第二のキーボタン入力検出部が、第一の方向に配設されたキーボタンそれぞれの第二の方向における中心位置を通って第一の方向に延びるキーボタン中心線に対して、互いに点対称な位置に配設された基板とを設けたので、筐体に占める操作部の面積を小さくすることができ、電子機器を小型化することができる。
【００１２】
本発明に係る電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数のキーボタンそれぞれに割り当てられたキーボタン入力検出部と、複数のキーボタン入力検出部のうち、第一の方向に沿って隣り合うキーボタンに割り当てられた第一および第二のキーボタン入力検出部が、第一および第二のキーボタン入力検出部の略中心位置を結ぶ中心線が第一の方向に沿って延びる任意の直線と所定角度で交わるように配設された基板とを設けたので、筐体に占める操作部の面積を小さくすることができ、電子機器を小型化することができる。
【００１３】
本発明にかかる電子機器は、ケースに固定されて筐体を構成するカバーにおいて、第一の方向およびこの第一の方向と交差する第二の方向に配設される複数のキーボタンと、キーボタンを用いて入力が加えられたことを検知して、キーボタンに対応する電気信号を生成する、複数の前記キーボタンそれぞれに割り当てられたキーボタン入力検出部と、複数のキーボタン入力検出部のうち、第一の方向に沿って隣り合うキーボタンに割り当てられた第一、第二および第三のキーボタン入力検出部が、第一のキーボタン入力検出部と第三のキーボタン入力検出部の略中心位置を結ぶ直線に対して、第二のキーボタン入力検出部が所定角度ずれた位置に配設された基板とを設けたので、筐体に占める操作部の面積を小さくすることができ、電子機器を小型化することができる。
【発明を実施するための最良の形態】
【００１４】
実施の形態１．
図１は本発明の実施の形態１に係る携帯電話機の操作部を示す外観図である。図１において、筐体カバー１には複数のキーボタン２が配設されている。操作部１１は複数のキーボタン２を含む。携帯電話機長手方向（図１のＹ軸方向）に配設された各キーボタン２の幅方向の中心（図１のＸ軸方向、つまりキーボタン２の幅方向の中心）を結ぶキーボタン中心線９が筐体の長手方向に延在している。図１に示す携帯電話機の操作部１１には、複数のキーボタン２が３列にわたって配設されており、各列のキーボタン中心線９は互いに平行である。なお、操作部１１に含まれる複数のキーボタン２のうち、後述する説明の便宜上、所定の６個のキーボタンに着目し、これら６個のキーボタンをキーボタン２−１、２−２、２−３、２−４、２−５、２−６と記載することとする。
【００１５】
図２は本発明に係る携帯電話機の構成を示す説明図である。図２は、図１に示す携帯電話機から筐体カバー１を外した筐体内部を示すものであり、ドームスイッチ５が配設された基板４が筐体ケース３内に収納されている様子を示している。基板４上には、複数のキーボタン２それぞれに対応するドームスイッチ５が設けられている。ドームスイッチ５は、キーボタンを用いて入力が加えられたことを検知してキーボタンに対応する電気信号を生成するキーボタン入力検出部として機能する。基板４に設けられた複数のドームスイッチ５のうち、図１のキーボタン２−１、２−２、２−３、２−４、２−５、２−６に対応するドームスイッチを、それぞれドームスイッチ５−１、５−２、５−３、５−４、５−５、５−６と記載することとする。図２において、キーボタン中心線９に沿って筐体長手方向（図１に示すＹ軸方向）に配設されたドームスイッチ５−１、５−２、５−５、５−６は、それぞれキーボタン２−１、２−２、２−５、２−６に割り当てられている。
【００１６】
筐体長手方向に隣接するキーボタン２−１、２−２、２−５、２−６に対応するドームスイッチ５−１、５−２、５−５、５−６のドームスイッチ中心を結ぶ線がドームスイッチ中心線１０である。説明の便宜上、ドームスイッチ５−１と５−２の中心位置、ドームスイッチ５−２と５−５、ドームスイッチ５−５と５−６それぞれの中心を結ぶ線をドームスイッチ中心線１０と記載することもあるが、概念としては同じである。ここでいうドームスイッチ中心とは、ドームスイッチが円状であるときには、その中心位置に概略対応するものである。しかし、かならずしも円の中心ではある必要はなく、キーボタン２を押したときにドームスイッチ５が押し潰されて入力が検知されるようなドームスイッチ上の位置（押下可能範囲ないし検知可能範囲という）に対応していればよい。図２において、ドームスイッチ中心線１０は「Ｚ字形」（稲妻形、千鳥形、ジグザグ形といってもよい）である。つまり、筐体長手方向に互いに隣り合う複数のドームスイッチ５は、筐体長手方向のキーボタン２に対応するドームスイッチの中心を結ぶドームスイッチ中心線１０が「Ｚ字形」になるように、基板４に配設されているものである。
【００１７】
図２の場合、キーボタン中心線９とドームスイッチ中心線１０が６０度の角度で交わるように、キーボタン中心線９に沿って隣り合うキーボタン２のドームスイッチ５は、それぞれ基板上に配設される。キーボタン中心線９とドームスイッチ５−１およびドームスイッチ５―５の中心を結ぶ線（ドームスイッチ中心線１０Ａ）が互いに平行である場合、キーボタン中心線９ではなく、ドームスイッチ中心線１０Ａとドームスイッチ５―１と５―２を結ぶドームスイッチ中心線１０は、その交点において６０度で交差していると説明することもできる。この場合、ドームスイッチ５−１と５−２、５−５の中心を結ぶ線は各ドームスイッチ中心間の距離が等しい正三角形を構成することになる。
【００１８】
また、ドームスイッチ中心線１０の形状ではなく、ドームスイッチ５のドームスイッチ中心の位置に着目すると、ドームスイッチ５―１とドームスイッチ５―２の中心位置は、キーボタン中心線９とドームスイッチ中心線１０が交わる交点（対象の中心）に対して「点対称」であることが分かる。ドームスイッチ５−２とドームスイッチ５―５、ドームスイッチ５―５とドームスイッチ５―６の中心位置も同様に「点対称」な関係を有する。
【００１９】
図３および図４は、本発明に係る携帯電話機の操作部周辺の断面を示す断面図である。図３は、入力ボタン２が押下されていない状態を示しており、図４は、入力ボタン２が押下された状態を示している。図３に示すように、ゴムシート１３には突起部６が形成されており、入力ボタン２はゴムシート１３の突起部６を介してドームスイッチ５に入力圧を伝達する。図３のように、入力ボタン２が押下されていない状態では、突起部６はドームスイッチ５と接触しているが、入力圧は加わっていないため、ドームスイッチ５は電極Ｂ８と接触していない。したがって、電極Ａ７と電極Ｂ８は電気的に接続されておらず、キーボタン２に対応する電気信号は生成されない。
【００２０】
一方、図４に示すように、入力ボタン２が押下された状態では、入力ボタン２は突起部６を介して入力圧をドームスイッチ５に加えており、入力圧が加えられたドームスイッチ５は押し潰されて電極Ｂ８と接触する。このとき、電極Ａ７と電極Ｂ８が電気的に接続されて、入力ボタン２に対応する電気信号が生成される。図３および図４では、ドームスイッチ５の断面における略中心を通るドームスイッチ作動中心線１４と、キーボタン２の断面における略中心を通るキーボタン入力中心線がずれている。ドームスイッチ作動中心線１４とキーボタン入力中心線１５がずれるのは、図１および図２に示されるとおり、筐体長手方向に延びる１本の直線上に、キーボタン２の中心が位置するように配設されたキーボタン２と、筐体長手方向に隣り合うドームスイッチ５の中心を結ぶ線がＺ字形になるように配設されたドームスイッチ５の中心位置がずれるためである。図３および図４のように、ドームスイッチ作動中心線１４とキーボタン入力中心線１５がずれた場合でも、筐体長手方向に隣り合うドームスイッチ５の中心を通るドームスイッチ中心線１０とキーボタン中心線９の角度を調整することにより、違和感のないクリック感を得ることができる。
【００２１】
以下、本発明の効果について説明する。図７は、本発明の効果を示す説明図である。図７において、図７（ａ）は例えばドームスイッチ中心線のように、筐体長手方向に延びる一本の直線上にドームスイッチ５Ａおよび５Ｂの中心が位置するように、ドームスイッチ５Ａおよび５Ｂが配設された状態を示す図である。この直線を説明の便宜上、基準線１６と称する。ピッチｃはドームスイッチ５Ａと５Ｂの中心間の距離であり、ドーム間ピッチと称する。間隔ｄはドームスイッチ５Ａと５Ｂ間の最小間隔であり、製造上の理由で縮小できない間隔である。間隔ｄをドーム間最小間隔と称する。図７（ａ）に示すように、基準線１６上にドームスイッチ５Ａと５Ｂの中心が位置するようにドームスイッチを配設した場合、筐体長手方向に隣り合うキーボタン２の中心間の距離であるキーピッチと上記説明のドーム間ピッチは一致するのが通常である。
【００２２】
図７（ｂ）は、図７（ａ）の状態からドームスイッチ５Ｂを基準線１６から角度θだけずらして配設した状態を示す図である。図７（ｂ）の場合、ドーム間ピッチｃとドーム間最小間隔ｄは図７（ａ）と変わらないが、キーピッチｅは図７（ａ）のドーム間ピッチｃ（つまり、キーピッチ）よりも短縮されていることがわかる。具体的には、キーピッチｅは、ｅ＝ｃ・ｃｏｓθで求められるものであり、キーピッチｅは図７（ａ）で示すところのキーピッチｃよりも短縮される。つまり、ドームスイッチ５Ａの位置を変えずに、ドームスイッチ５Ｂを基準線１６から角度θだけずらして配設することにより、一定のドーム間ピッチｃおよびドーム間最小間隔ｄを確保しつつ、キーピッチを縮小することが可能となる。
【００２３】
図７（ｃ）はドームスイッチ５Ｂを基準線１６から６０度ずらして配設した状態を示す図である。図７（ｃ）には、基準線１６に沿ってドームスイッチ５Ａの直下にドームスイッチ５ｃを説明の便宜上追加して図示している。これらのドームスイッチ５Ａ〜５Ｃは、筐体長手方向に配設されたキーボタン２にそれぞれ対応するものである。図７（ｂ）を参照して説明したように、ドーム間ピッチｃとドーム間最小間隔ｄは図７（ａ）と変わらないが、キーピッチｅは図７（ａ）のドーム間ピッチｃ（つまり、キーピッチ）よりも短縮される。θが６０度の場合、キーピッチｅは、ｅ＝ｃ・ｃｏｓθの式より、ｅ＝ｃ／２となる。つまり、図２に示すように、筐体長手方向に沿って延びるキーボタン中心線９に沿って隣り合うドームスイッチ（例えばドームスイッチ５−１（５−２）とドームスイッチ５―２（５−５））のキーピッチａ（筐体長手方向に隣り合うキーボタン２の中心感の距離）は、キーボタン中心線９とドームスイッチ中心線１０の交わる角度を６０度とした場合、キーボタン中心線９とドームスイッチ中心線１０が一致（あるいは平行）するように、筐体長手方向に隣接するドームスイッチ５を配設した場合に比べて、キーピッチａを概略５０パーセント程度に小さくすることができる。
【００２４】
ドームスイッチ５Ｂを基準線１６からずらす角度として６０度を選択したのは、ドームスイッチ５Ａとドームスイッチ５Ｃのドーム間間隔ｄ’の距離をドーム間最小間隔ｄだけ確保するためである。ｄ’≧ｄを確保するためには、角度θは０度≦θ≦６０度であることが必要である。仮にドームスイッチ５Ｂを基準線１６からずらす角度をθ≧６０度とすると、ドーム間隔ｄ’は次第に縮小されてドーム間最小間隔ｄを維持できなくなる。したがって、ドームスイッチ５ｂを基準線１６からずらす角度は０度＜θ≦６０度の範囲で設定する必要がある。図２を参照して説明すると、キーボタン中心線９とドームスイッチ中心線１０の角度が０度＜θ≦６０度となるように、キーボタン中心線９に沿って隣接するドームスイッチ５を配設する必要がある。
【００２５】
本発明は、筐体長手方向に延びるキーボタン中心線９に沿って隣り合うドームスイッチ５の中心を結ぶドームスイッチ中心線１０が「Ｚ字形」になるように、複数のドームスイッチ５を基板上に配設することにより、キーピッチａを小さくすることができる。したがって、筐体に占める操作部の面積を小さくすることができ、携帯通信機を小型化することができる。また、上記のように、複数のドームスイッチ５を配設することにより、押し位置ずれの許容度が小さい小型のドームスイッチを用いずに操作部の面積を小さくすることができる。また、クリック感の低下による操作感の劣化を引き起こすことなく、操作部の小型化、つまり携帯通信機の小型化を図ることができる。
【００２６】
また、上記説明では、筐体長手方向に伸びるキーボタン中心線９に沿って隣り合うドームスイッチ５の中心を結ぶドームスイッチ中心線１０がＺ字形になるように、キーボタン中心線に沿って隣り合うドームスイッチ５を配設することにより、筐体長手方向のキーピッチを短縮する例について説明した。しかし、筐体長手方向ではなく、筐体幅方向に伸びるキーボタン中心線を想定し、このキーボタン中心線にそって、言い換えれば、筐体幅方向に隣り合うキーボタン２に対応するドームスイッチ５−１、５−３および５−４の中心を結ぶドームスイッチ中心線がＺ字形になるように、ドームスイッチ５−１、５−３および５−４を配設することも可能である。この場合、筐体幅方向のキーピッチが短縮されるので、筐体の幅を小型化する効果を得ることが期待できる。
【００２７】
なお、上記説明では、キーボタンが押下されたことを検出するキーボタン入力検出部の具体的構成として、２つの電極を接触させるドームスイッチを用いていた。しかし、ドームスイッチに換えて、ゴムばねと導電部を持ったスイッチでも同様の効果を奏するものである。
【００２８】
実施の形態２．
図２を用いて説明した携帯電話機は、筐体長手方向に延びるキーボタン中心線９に沿って隣り合う、キーボタン２に対応するドームスイッチ５の中心を結ぶドームスイッチ中心線１０が、キーボタン中心線９と６０度の角度で交わる「Ｚ字形」になるように、ドームスイッチ５を基板上に配設していた。しかし、キーボタン中心線９とドームスイッチ中心線１０が交わる角度を６０度ではなく概略１５度〜２０度程度になるように配設しても良い。図５は、本発明に係る携帯電話機の操作部を示す平面図である。図５に示す携帯電話機は、キーボタン中心線９にそって隣りあうキーボタン２に対応するドームスイッチ５を、キーボタン中心線９とドームスイッチ中心線１０が概略１５度〜２０度程度で交わるＺ字形になるように、基板４上に配設したものである（図６参照）。
【００２９】
図５および図６に示す携帯電話機は、キーボタン中心線９とドームスイッチ中心線１０が交わる角度が、図１および図２に比較して浅いため、キーピッチａは図２に示すキーピッチに比べて長くなっている。したがって、図５に示す操作部１１は図２に示す操作部１１よりも面積が大きくなっているので、図２に示すようにドームスイッチ５を配設した場合に比べて、携帯通信機の筐体のサイズは大きくなる。しかし、キーボタン中心線９とドームスイッチ中心線１０の交わる角度を概略１５度〜２０度程度にした場合、キーボタン中心線９とドームスイッチ中心線１０が一致（あるいは平行）するように、筐体長手方向に隣接するドームスイッチ５を配設した場合に比べて、キーピッチａを概略９３パーセント〜９６パーセント程度に小さくすることができる。
【００３０】
上記説明のように、キーボタン中心線９とドームスイッチ中心線１０が交わる角度を６０度ではなく概略１５度〜２０度程度になるよう、ドームスイッチ５を配設した場合でも筐体に占める操作部の面積を小さくすることができるので、携帯通信機を小型化することができる。また、上記のように、複数のドームスイッチ５を配設することにより、押し位置ずれの許容度が小さい小型のドームスイッチを用いずに操作部の面積を小さくすることができる。また、クリック感の低下やキー操作感触劣化を引き起こすことなく、操作部の小型化、つまり携帯通信機の小型化を図ることができる。また、キーボタン中心線９とドームスイッチ中心線１０が交わる角度を１５度〜２０度程度に浅く設定することにより、角度を６０度とした場合よりも、図３および図４に示すドームスイッチ作動中心線１４とキーボタン入力中心線１５のずれは小さくなるので、クリック感は良好になる。
【産業上の利用可能性】
【００３１】
本発明は、携帯電話機や携帯通信機に限らず、キーボタンを用いて情報を入力する操作部を有する電子機器一般に適用することが可能であり、電子機器の小型化に有効である。
【図面の簡単な説明】
【００３２】
【図１】本発明に係る携帯電話機の操作部を示す外観図である。
【図２】本発明に係る携帯電話機の構成を示す説明図である。
【図３】本発明に係る携帯電話機の操作部周辺の断面を示す断面図である。
【図４】本発明に係る携帯電話機の操作部周辺の断面を示す断面図である。
【図５】本発明に係る携帯電話機の操作部を示す平面図である。
【図６】本発明に係る携帯電話機の構成を示す説明図である。
【図７】本発明の効果を示す説明図である。
【符号の説明】
【００３３】
１  筐体カバー、２  キーボタン、３  筐体ケース、４  基板、５  ドームスイッチ、
６  突起部、７  電極Ａ、８  電極Ｂ、９  キーボタン中心線、
１０  ドームスイッチ中心線、１１  操作部、１２  ドームスイッチ中心、
１３  ゴムシート、１４  ドームスイッチ作動中心線、１５  キーボタン入力中心線、
１６  基準線
【図１】
2006147275.tif 000003
【図２】
2006147275.tif 000004
【図３】
2006147275.tif 000005
【図４】
2006147275.tif 000006
【図５】
2006147275.tif 000007
【図６】
2006147275.tif 000008
【図７】
2006147275.tif 000009